(57)【要約】【課題】靴の構造、特に靴の下部構造において、スリッパおよびサンダルの構造あるいは形状の特徴を取り入れることにより、通気性と換気性を向上させることである。【解決手段】靴底構造においては、アウトソールは、ミッドソールに比較し踵部分が無い分だけ面積が狭く、また前足部はミッドソールと接合されているが、土踏まず部分はミッドソールと接合されておらず、歩行時においてはミッドソールと開閉する動きをすることにより、靴内部の空気の換気をおこなうものである。ミッドソールの土踏まず部分については、格子状あるいは網目状あるいは空気穴を設けることにより、通気性および換気性を向上させるものとする。【選択図】図３
0003130381.tif 000002
【実用新案登録請求の範囲】
【請求項１】
アウトソールは、ミッドソールに比較し踵部分が無い分だけ面積が狭く、また前足部はミッドソールと接合され、土踏まず部分はミッドソールとは接合されておらず、歩行時においてミッドソールと開閉する動きをすることにより、靴内部の空気を換気する手段を備えることを特徴とする健康シューズ
【請求項２】
請求項１における健康シューズは、歩行において地面を蹴る力が働くことにより、土踏まず部分のアウトソールとミッドソールの間隔が広がり靴内部の空気の開放口となることにより、靴内部の空気を換気する手段を備えることを特徴とする。
【請求項３】
請求項１における健康シューズは、ミッドソールの土踏まず部分については、格子状あるいは網目状あるいは空気穴を設けることを特徴とする。
【請求項４】
請求項１における健康シューズは、アウトソールの土踏まず部分の上面の一部あるいは全部にゴム磁石（マグネット・シート）などを取り付け、あるいはアウトソールの上面部分の一部あるいは全部にフェライト磁石粉末を混合させることにより、鉄素材などのシャンクに吸着する機構としたことを特徴とする鉄素材などのシャンクに吸着する吸引力を有するものとし、また歩行時においては地面を蹴る力が働くことによりアウトソールの土踏まず部分がシャンクより引き離される機構としたことを特徴とする。
【考案の詳細な説明】
【技術分野】
【０００１】本考案は、通気性と換気性を向上させた履物に関する。
【背景技術】
【０００２】靴は本来、用途に応じて、つまりＴＰＯに応じて使い分けられるべきものである。例えば、通勤用途には、防水性、耐磨耗性および堅牢性が求められ、事務所内での勤務の用途には軽快性、通気性が求められている。【０００３】事務所内での勤務において、多くは通勤用途として機能に優れているものの、事務作業用途としては、不適切な靴が使用されており、これによる水虫、外反母趾などの疾病、足の疲れとそれに起因する肩こりなどの障害、精神的な疲労感の原因となる事例も多く生じさせるものとなっている。
【考案の開示】
【考案が解決しようとする課題】
【０００４】勤務時においてはスリッパ・サンダルなどの使用が認められている職場もあるが、職場の風紀、身だしなみ、来客者に与える不快感などの理由から一般的ではない。【０００５】本考案の解決しようとする課題は、靴の構造、特に靴の下部構造において、スリッパ・サンダルの構造あるいは形状の特徴を取り入れることにより、通気性と換気性を向上させることである。
【課題を解決するための手段】
【０００６】通常、アウトソールは、靴の踵の一部または全部を構成する構造であり、土踏まずを経由し靴底全体の防水性、耐磨耗性などを有する構造となっている。靴としての防水性、耐磨耗性を高めようとすると、これとともに気密性も高まり通気性および換気性を低下させるものとなっている。【０００７】また通常の靴は、アウトソールとミッドソールとでは素材は異なるものの、形状・サイズなどはかなり似通ったものであり、しかも隣接するものとなっている。つまりアウトソールという防水性、気密性、耐摩耗性、堅牢性が求められるものに、ミッドソールというクッション性、柔軟性だけでなく通気性および換気性が求められるものとが隣接しているため、ミッドソールとしての機能は、十分に発揮できないものとなっているのである。【０００８】本考案における靴底構造においては、アウトソールは、ミッドソールに比較し踵部分が無い分だけ面積が狭く、また前足部は一般的な靴の構造と同様にミッドソールと接合され、土踏まず部分は一般的な靴の構造とは異なりミッドソールとは接合されておらず、特に歩行時においてはミッドソールと開閉する動きをすることにより、靴内部の空気の換気をおこなうものである。【０００９】ミッドソールの土踏まず部分については、格子状あるいは網目状あるいは空気穴を設けることにより、通気性および換気性を向上させるものとする。【００１０】これにより、歩行において地面をける力が働く際には、靴先内部の容積が縮小され靴先内部の空気が後方の土踏まず部などに押し出される。また、地面をける力が働くことにより、アウトソールとミッドソールの間隔が広がり、靴内部の空気の開放口となり、地面に着地した際には、アウトソールとミッドソールの間隔が狭まるものとなる。この運動は、あたかも空気ポンプのごときものであり、歩行の一歩毎に靴内部の空気は圧縮され排出され、次に新鮮な外部空気が取り込まれるものとなるのである。【００１１】アウトソール上面の土踏まず部分の一部あるいは全部にゴム磁石（マグネット・シート）を取り付けること、あるいはアウトソールの上面部分の一部あるいは全部に、フェライト磁石粉末などを混合させることにより、鉄素材などのシャンクに吸着する機構としてもよい。これにより歩行時には、アウトソールとミッドソールとは吸着と分離とを繰り返すこととなり、直立時および靴の保管時においては吸着した状態つまり通常の靴の外観となるものである。【００１２】靴構造においては、踵部分と土踏まず部分の形状を保持するため、シャンクという鋼鉄素材などによるプレートが使われている。公知の技術として様々な素材・形状のシャンクが提供されている。これによれば、アウトソールを、踵部および土踏まず部において、シャンクおよびミッドソールと分離させても、機能的あるいは構造的に問題を生じさせるものとはならない。
【考案の効果】
【００１３】雨天では、通勤など外出する際には不適当ではあるが、特に事務所内における勤務時の靴として、通気性および換気性をスリッパに近いところまで高めたものであり、しかもスリッパの直立時の姿勢維持と、歩行時の不便さの低減に効果を有するものである。【００１４】歩行において地面をける力が働く際には、靴先内部の容積が縮小され、これにより靴先内部の空気が後方の土踏まず部などに押し出される。また、地面をける力が働くことにより、アウトソールとミッドソールの間隔が広がり、靴内部の空気の開放口となり、地面に着地した際には、アウトソールとミッドソールの間隔が狭まるものとなる。この運動は、あたかも空気ポンプのごときものであり、歩行の一歩毎に靴内部の空気は圧縮され排出され、次に新鮮な外部空気が取り込まれるものとなるのである。つまり、本件考案により、あたかも空気ポンプで靴内部の空気を入れ替えるがごとき換気性を有する機構である。【００１５】椅子に着座した際においても、つま先あるいは前足部に圧力を加えることにより、アウトソールとミッドソールとの間隔が広がり、通気性および換気性を向上させるものとなる。【００１６】アウトソール上面の土踏まず部分の一部あるいは全部にゴム磁石（マグネット・シート）を取り付けること、あるいはアウトソールの上面部分の一部あるいは全部に、フェライト磁石粉末などを混合させることにより磁力が生じ、足の血行を促進する効果を有するものである。この磁力は、特に歩行時において、鉄素材であるシャンクとの吸着と分離という変化を繰り返すことにより、磁力による刺激を効果的に足に与えるものとなる。
【考案を実施するための最良の形態】
【００１７】アウトソールは、ミッドソールに比較し踵部分が無い分だけ面積が狭く、また前足部は一般的な靴の構造と同様にミッドソールと接合され、土踏まず部分が一般的な靴の構造とは異なりミッドソールとは接合されておらず、特に歩行時においてはミッドソールと別の動きをすることにより、靴内部の空気の換気をおこなうものである。【００１８】一般的な靴構造においては、踵部分と土踏まず部分の形状を保持するため、シャンクという鋼鉄素材などのプレートが使われている。様々な素材・形状のシャンクが提供されている。これによれば、アウトソールを、踵部および土踏まず部において、シャンクおよびミッドソールと分離させても、機能的あるいは構造的に問題を生じさせるものとはならない。【００１９】アウトソール上面の土踏まず部分の一部あるいは全部にゴム磁石（マグネット・シート）を取り付けること、あるいはアウトソールの上面部分の一部あるいは全部に、フェライト磁石粉末などを混合させることにより、鉄素材などのシャンクに吸着する機構としてもよい。これにより歩行時には、アウトソールとミッドソールとは吸着と分離とを繰り返すこととなり、直立時および靴の保管時においては吸着した状態つまり通常の靴の外観となるものである。【００２０】上述のゴム磁石の取り付けあるいはフェライト磁石粉末などの混合は、アウトソール上面だけでなくミッドソール下面にしてもよく、あるいはシャンクを磁性体としてもよい。【００２１】アウトソールについては、屋内での使用が主であるとはいえ、防水性と耐摩耗性が必要であることと、踵部と一体化されていないためウレタン素材などが好ましい。【００２２】ミッドソールの土踏まず部分については、格子状あるいは網目状とすること、あるいは空気穴を設けることにより通気性と換気性を高めるものとする。
【図面の簡単な説明】
【００２３】
【図１】本考案による健康シューズの直立時の側面概略図である。
【図２】本考案による健康シューズ（ゴム磁石など付属）の直立時の側面概略図である。
【図３】本考案による健康シューズの歩行時の側面概略図である。
【符号の説明】
【００２４】１．アッパー
２．踵部（ヒール）
３．ミッドソール
４．アウトソール
【図１】
0003130381.tif 000003
【図２】
0003130381.tif 000004
【図３】
0003130381.tif 000005
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
アウトソールは、ミッドソールに比較し踵部分が無い分だけ面積が狭く、また前足部はミッドソールと接合され、土踏まず部分はミッドソールとは接合されておらず、歩行時においてミッドソールと開閉する動きをすることにより、靴内部の空気を換気する手段を備えることを特徴とする健康シューズ
【請求項２】
歩行において地面を蹴る力が働くことにより、土踏まず部分のアウトソールとミッドソールの間隔が広がり靴内部の空気の開放口となることにより、靴内部の空気を換気する手段を備えることを特徴とする請求項１における健康シューズ。
【請求項３】
ミッドソールの土踏まず部分については、格子状あるいは網目状あるいは空気穴を設けることを特徴とする請求項１における健康シューズ。
【請求項４】
アウトソールの土踏まず部分の上面の一部あるいは全部にゴム磁石などを取り付け、あるいはアウトソールの上面部分の一部あるいは全部にフェライト磁石粉末を混合させることにより、鉄素材などのシャンクに吸着する機構としたことを特徴とする鉄素材などのシャンクに吸着する吸引力を有するものとし、また歩行時においては地面を蹴る力が働くことによりアウトソールの土踏まず部分がシャンクより引き離される機構としたことを特徴とする請求項１における健康シューズ。